(57)【特許請求の範囲】
【請求項１】
遊技店の顧客一人に対し一枚づつ発行される顧客カードと、
当該遊技店のホール内に多数設置された遊技機ごとに設けられ、遊技に先だって顧客から前記顧客カードを受け付け、少なくとも遊技が行われたこと、遊技時間、及びその日付を示す遊技情報を当該顧客カードに記録した後、遊技後に返却する遊技情報書込み手段と、
当該遊技店の顧客が利用する駐車場のゲートに設けられた遮断機と、
前記顧客カードの前記遊技情報にもとづいて顧客を識別しつつ、前記遮断機を制御する識別制御手段とを備え、
上記識別制御手段には、
顧客から前記顧客カードを受け、あるいは返却するカード受渡し口と、
駐車料金を受け付ける料金投入口と、前記カード受渡し口から受け付けられた前記顧客カードの前記遊技情報にもとづいて少なくとも本日中に遊技が行われたこと及び通常の駐車料金から遊技中の駐車料金を差し引くと駐車料金が残らないことを第１の条件とするとともに、本日中に遊技が行われた場合に駐車料金から遊技中の駐車料金を差し引いた差額の駐車料金又は本日中に遊技が行われなかった場合に通常の駐車料金が前記料金投入口から支払われたことを第２の条件として、この第１の条件又は第２の条件のうち少なくともいずれか一の条件が満足されれば解除信号を出力する解除判定手段と、
この解除判定手段からの解除信号の入力がないときは少なくとも駐車場から退出する自動車の通過を前記遮断機により遮断させ、この遮断を解除判定手段からの解除信号にもとづいて解除する遮断機駆動手段とを備えた
ことを特徴とする遊技店用の駐車場管理装置。
【請求項２】
前記顧客カードには、顧客ごとにＩＤ番号が記憶され、
前記遊技情報書込み手段及び識別制御手段には、それぞれ受け付けられた前記顧客カードのＩＤ番号を、登録されたＩＤ番号データと照合するＩＤ番号照合部を各々備えた
ことを特徴とする請求項１記載の遊技店用の駐車場管理装置。
【発明の詳細な説明】
【０００１】
【産業上の利用分野】
この発明は、パチンコホール等の遊技店用の駐車場管理装置に関し、特に遊技店に来店する顧客向けに発行されたＩＤカード（身分証明用カード）を用いたものである。
【０００２】
【従来の技術】
近年の自動車の普及によって、郊外のパチンコホール等の遊技店では、遊技店を利用する顧客用の駐車場が必要不可欠なものとなっているが、このための土地の確保や立体駐車場等の設備に多額の費用が必要となっている。このため、遊技店に自動車で来店した顧客のうち、遊技をした顧客だけにその駐車料金をサービスする一方、遊技をしない一般客から駐車料金を徴収して駐車場にかかる費用の回収負担の低減を図っている遊技店も多い。
【０００３】
従来、この遊技を行った顧客とそうでない顧客を識別して、駐車料金を徴収する駐車場管理方法としては、駐車の際に一律に駐車券を発券した後、ホール内で遊技店の店員が駐車券のチェックを検印等により行い、駐車場出口で駐車料金を徴収する際には、駐車券に検印が押されている場合にのみ、その駐車料金を無料とする方法が一般に行われていた。
【０００４】
【発明が解決しようとする課題】
しかし、上記した従来の遊技店用の駐車場管理方法では、遊技を行ったか否かのチェックを検印等の人手に頼っているため、チェック漏れがあると、これがトラブルの原因となるといった第１の問題点があった。すなわち、遊技店の店員が一定の時間おきにホール内を巡回し駐車券の検印を行うが、顧客は遊技機を頻繁に替えて遊技をすることが多いため、遊技をしているにも関わらず検印がもらえないことがあり、その後に駐車場から退場する際にその旨を申し出ても認めてもらえないことがあった。
【０００５】
また、遊技者にとっては、検印の際に遊技が妨げられ、これが煩わしいといった第２の問題点もあった。さらに、遊技店としても、店員の仕事が増えることとなり、また一旦トラブルが発生すると、チェック漏れをなくそうとして検印の回数を増やすため、さらに店員の仕事が増える結果になり、これが店員を増員しなけらばならない要因になって人件費の増加を招くおそれがあるといった第３の問題点もあった。
【０００６】
そこで、請求項１記載の発明は、上記した従来の技術の有する問題点に鑑みてなされたものであり、その目的とするところは、従来人手に頼っていた、遊技を行ったか否かのチェック及び駐車場出口での識別を自動化して、ミスやトラブルをなくし、また人件費の削減が見込める遊技店用の駐車場管理装置を提供しようとするものである。
【０００７】
これに加え、請求項２記載の発明は、顧客カードを受け付けるごとにそのＩＤ番号を登録したＩＤ番号データと照合することで、登録内容の変更に即対応できる遊技店用の駐車場管理装置とするものである。
【０００８】
【課題を解決するための手段】
本発明は、上記した目的を達成するためのものであり、以下にその内容を図面に示した実施例を用いて説明する。請求項１記載の発明は、遊技店の顧客一人に対し一枚づつ発行される顧客カード（例えばＩＤカードＡ）と、当該遊技店のホール内に多数設置された遊技機（例えばパチンコ機20）ごとに設けられ、遊技に先だって顧客から前記顧客カード（例えばＩＤカードＡ）を受け付け、少なくとも遊技が行われたこと、遊技時間、及びその日付を示す遊技情報を当該顧客カード（例えばＩＤカードＡ）に記録した後、遊技後に返却する遊技情報書込み手段（例えばカードリーダ・ライタ40）と、当該遊技店の顧客が利用する駐車場のゲート（例えば入口専用ゲート10，出口専用ゲート11，出入口用ゲート12）に設けられた遮断機70と、前記顧客カード（例えばＩＤカードＡ）の前記遊技情報にもとづいて顧客を識別しつつ、前記遮断機70を制御する識別制御手段90とを備え、上記識別制御手段90には、顧客から前記顧客カード（例えばＩＤカードＡ）を受け、あるいは返却するカード受渡し口（例えば第２カード受渡し口91）と、駐車料金を受け付ける料金投入口92と、前記カード受渡し口（例えば第２カード受渡し口91）から受け付けられた前記顧客カード（例えばＩＤカードＡ）の前記遊技情報にもとづいて少なくとも本日中に遊技が行われたこと及び通常の駐車料金から遊技中の駐車料金を差し引くと駐車料金が残らないことを第１の条件とするとともに、本日中に遊技が行われた場合に駐車料金から遊技中の駐車料金を差し引いた差額の駐車料金又は本日中に遊技が行われなかった場合に通常の駐車料金が前記料金投入口92から所定金額の駐車料金が支払われたことを第２の条件として、この第１の条件又は第２の条件のうち少なくともいずれか一の条件が満足されれば解除信号を出力する解除判定手段94と、この解除判定手段94からの解除信号の入力がないときは少なくとも駐車場から退出する自動車の通過を前記遮断機70により遮断させ、この遮断を解除判定手段94からの解除信号にもとづいて解除する遮断機駆動手段95とを備えたことを特徴とする。
【０００９】
請求項２記載の発明は、上記した請求項１記載の特徴点に加え、前記顧客カード（例えばＩＤカードＡ）には、顧客ごとのＩＤ番号が記憶され、前記遊技情報書込み手段（例えばカードリーダ・ライタ40）及び識別制御手段90には、それぞれ受け付けられた前記顧客カード（例えばＩＤカードＡ）のＩＤ番号を、登録されたＩＤ番号データと照合するＩＤ番号照合部（例えば第１番号照合部43，第２番号照合部97）を各々備えたことを特徴とする。
【００１０】
【作 用】
したがって、請求項１記載の発明によれば、ホール内では、前記遊技情報書込み手段（例えばカードリーダ・ライタ40）により、少なくとも遊技が行われたこと、遊技時間、及びその日付を示す遊技情報が顧客カード（例えばＩＤカードＡ）に書き込まれる。
【００１１】
また、駐車場のゲート（例えば入口専用ゲート10，出口専用ゲート11，出入口用ゲート12）では、前記識別制御手段90により顧客カード（例えばＩＤカードＡ）の遊技情報にもとづいて本日中に遊技が行われたこと及び通常の駐車料金から遊技中の駐車料金を差し引くと駐車料金が残らないことが判断されれば、通常遮断されているゲートの前記遮断機70の遮断が解除され、駐車料金が無料となる。これに対し、顧客カード（例えばＩＤカードＡ）が前記カード受渡し口（例えば第２カード受渡し口91）から挿入されない、挿入されたが顧客カード（例えばＩＤカードＡ）に遊技情報が書き込まれていない、あるいは遊技情報は書き込まれているが日付が違う、通常の駐車料金から遊技中の駐車料金を差し引いても駐車料金が残ってしまう等の場合は、識別制御手段90により本日中に遊技が行われていないと判断され、遮断機70の解除は行われない。
【００１２】
これらの場合でも、本日中に遊技が行われた場合に駐車料金から遊技中の駐車料金を差し引いた差額の駐車料金又は本日中に遊技が行われなかった場合に通常の駐車料金が前記料金投入口92から所定の駐車料金が支払われれば、識別制御手段90の判断で遮断機70の解除が行われる。
請求項２記載の発明によれば、遊技情報書込み手段（例えばカードリーダ・ライタ40）及び識別制御手段90では、それぞれ顧客カード（例えばＩＤカードＡ）を受け付けた際、受け付けた顧客カード（例えばＩＤカードＡ）のＩＤ番号を、登録されたＩＤ番号データと照合することができるので、それぞれ顧客カード（例えばＩＤカードＡ）を受け付けた時点で受け付けた顧客カード（例えばＩＤカードＡ）が有効か否か等の判断を行うことができる。
【００１３】
【実施例】
図１〜４は、本発明の第１実施例を示すものであり、図１は駐車場管理装置のブロック図、図２は遊技店の敷地内でゲート遮断装置の位置を示す配置図、図３はパチンコ機の正面図、図４はゲート遮断装置を駐車場側から見た斜視図をそれぞれ示す。
【００１４】
図２に示す遊技店の敷地内には、顧客が遊技を行うホールのほかに、自動車で来店する顧客のための駐車場を備えている。また、駐車場には、例えば図２の道路側に面した位置に、入口専用ゲート10及び出口専用ゲート11が設けられている。上記ホール内には、遊技機として、図３に示すパチンコ機20が多数設置されている。なお、ホール内に設置される遊技機としては、パチンコ機20に限られず、例えばスロットマシン、パチスロ機、雀球遊技機等であってもよく、またこれらの遊技機は、単一で、あるいは複数種類で組み合わせて同一ホール内に並設される。
【００１５】
また、ホール内には、図１に示すように、上記各遊技機に接続され、各遊技機からの遊技情報を収集する中央管理装置30が設置されている。この中央管理装置30により、各遊技機での遊技状況がデータで把握でき、これをもとに出球率や球数管理だけでなく、遊技店の売上管理等を行うこともできる。さらに、中央管理装置30には、顧客データ管理の機能も備えている。
【００１６】
当該遊技店では、遊技店を利用する顧客一人一人に対し、顧客カードにより会員登録を行う会員制カード制度が導入されている。上記顧客カードとしては、図１に示すように、例えばＩＤ番号が付されたＩＤカードＡ（身分証明用カード）が顧客ごとに一枚づつ発行され、貸与されている。このＩＤカードＡは、例えばカード期限、ＩＤ番号、顧客データ、遊技情報等の各種情報を磁気により記録可能に形成されている。そして、前記中央管理装置30により、カードの発行や各種情報の集中管理がなされている。なお、ＩＤカードＡは、磁気カードに限らず、例えばＲＡＭカード等の他の記録媒体であってもよい。
【００１７】
前記各パチンコ機20には、図３に示すように、遊技に先だって顧客から上記ＩＤカードＡを受け付けてＩＤ番号を読み出すとともに、遊技が行われたこと及びその日付を示す遊技情報を当該ＩＤカードＡに記録した後、遊技後に返却する遊技情報書込み手段としてのカードリーダ・ライタ40が、パチンコ機20の上部に各々設置されている。また、各カードリーダ・ライタ40は、前記中央管理装置30によるＩＤ番号や遊技情報の収集を可能とするため、それぞれ中央管理装置30に接続されている。
【００１８】
上記各カードリーダ・ライタ40には、図１,３に示すように、パチンコ機20前面側に設けられ、顧客から前記ＩＤカードＡを受け、あるいは返却するための第１カード受渡し口41と、この第１カード受渡し口41から受け付けられたＩＤカードＡから、前記ＩＤ番号を読み出すとともに、前記遊技情報を書き込むリード・ライト部42と、このリード・ライト部42により読み出されたＩＤ番号を前記中央管理装置30に登録されているＩＤ番号データと照合し、受け付けられたＩＤカードＡが有効か否かを判断する第１番号照合部43とを備えている。
【００１９】
また、カードリーダ・ライタ40の前面には、図３に示すように、遊技が終わったときに遊技者により押され、ＩＤカードＡを排出させるためのカード返却ボタン44と、ＩＤカードＡの挿入及び排出手順や、ＩＤカードＡが無効の場合の指示等を表示するための表示ランプ45とが配されている。一方、駐車場の前記出口専用ゲート11には、図２に示すように、自動車の通過を常時遮断し、退出時の通過のみ適宜許可するゲート遮断装置50が設置されている。これに対し、前記入口専用ゲート10には、自動車の通過を遮断するための装置は何等設置されていない。
【００２０】
上記ゲート遮断装置50は、図１，４に示すように、四角ポスト状の遮断装置本体60と、この遮断装置本体60の側面からゲート中央に向けて真っ直ぐに延びたポール71を有して、ポール71の向きを遮断装置本体60側を軸に、水平あるいは斜め上方に移動させることで自動車の通過を遮断、あるいは許可する遮断機70と、通過を許可されて外に出る自動車を検出し、通過信号を出力する通過検出器80とから構成されている。
【００２１】
上記遮断装置本体60は、図２,４に示すように、その駐車場側に操作面Ｂを有している。また、遮断装置本体60には、図１に示すように、前記ＩＤカードＡの遊技情報にもとづいて顧客を識別しつつ、上記遮断機70を制御する識別制御手段90を備えている。上記識別制御手段90には、図１，４に示すように、上記操作面Ｂに設けられ、顧客から前記ＩＤカードＡを受け、あるいは返却する第２カード受渡し口91と、同じく操作面Ｂに設けられ、駐車料金を受け付ける料金投入口92と、前記第２カード受渡し口91から受け付けられたＩＤカードＡの前記遊技情報を読み出すリード部93と、このリード部93により読み出された遊技情報をもとに少なくとも本日中に遊技が行われたことを第１の条件とするとともに、前記料金投入口92から所定金額の駐車料金が支払われたことを第２の条件として、この第１の条件又は第２の条件のうち少なくともいずれか一の条件が満足されれば解除信号を出力する解除判定手段94と、この解除判定手段94からの解除信号の入力がないときは少なくとも駐車場から退出する自動車の通過を遮断するとともに、解除判定手段94からの解除信号にもとづいて遮断を解除し、その後に前記通過検出器80からの通過信号を入力したときに再び遮断する遮断機駆動手段95とを備えている。
【００２２】
上記リード部93と解除判定手段94との間には、図１に示すように、リード部93で読み出された遊技情報をもとに少なくとも本日中に遊技が行われたか否かを判定し、少なくとも本日中に遊技が行われたときは、上記第１の条件としての第１許可信号を出力する遊技判定部96と、前記カードリーダ・ライタ40の第１番号照合部43と同様に、受け付けられたＩＤカードＡが有効か否かを判断し、有効であれば上記遊技判定部96からの第１許可信号を解除判定手段94側に出力する第２番号照合部97とが設けられている。また、ＩＤカードのＡが有効か否かの判断を行うために、第２番号照合部97は前記中央管理装置30と接続され、ＩＤ番号データのアクセスを可能としている。
【００２３】
前記料金投入口92と解除判定手段94との間には、図１に示すように、前記料金投入口92から投入された料金の金額を計数するカウンタ98と、このカウンタ98により計数された料金の投入額が、所定の駐車料金に達したときに、前記第２の条件としての第２許可信号を解除判定手段94に出力する投入額判別部99とが設けられている。
【００２４】
次に、以上のように構成された駐車場管理装置により行われる駐車場管理について、図１に沿って説明する。遊技店のホールでは、常時、会員の募集が行われており、希望する顧客に対して会員証を兼ねた前記ＩＤカードＡが発行されている。このＩＤカードＡの発行は、前記中央管理装置30の集中管理のもとに行われ、その発行時には、顧客ごとのＩＤ番号がＩＤカードＡに自動的に付される。付されたＩＤ番号は、中央管理装置30内に登録され、顧客データとともに記憶される。
【００２５】
自動車で来店した顧客は、前記入口専用ゲート10から駐車場内に入り自動車を駐車した後、ホール内でパチンコ玉を借り受け、遊技をしようとするパチンコ機20の椅子に座る。会員以外の顧客は、そのまま遊技を開始することになるが、会員の場合は、遊技に先だって、まずパチンコ機20上部に設置された前記カードリーダ・ライタ40に、その前記第１カード受渡し口41からＩＤカードＡを挿入する。この際、会員であってもＩＤカードＡを挿入しないで遊技を始めることがないように、カードリーダ・ライタ40の前記表示ランプ45には、例えば「ＩＤカードをお持ちの方は、ＩＤカードを右の挿入口から入れて下さい」等と書かれた表示部分が点灯し、注意が促される。
【００２６】
ＩＤカードＡを受け付けたカードリーダ・ライタ40内では、図１の前記リード・ライト部42にＩＤカードＡが送られ、ＩＤ番号の読み出しが行われる。そして、読み出されたＩＤ番号は、次段の前記第１番号照合部43において前記中央管理装置30からアクセスされたＩＤ番号データと照合され、当該ＩＤ番号が付されたＩＤカードＡについて、期限が切れていないか、或いは無効でないか等が調べられる。また同時に、リード・ライト部42により、遊技が行われたこと及びその日付が、遊技情報としてＩＤカードＡに書き込まれる。なお、ＩＤカードＡが無効の場合は、このリード・ライト部42よる書き込みは行われず、ＩＤカードＡは第カード受渡し口41からそのまま排出され、表示ランプ45には、カード確認手順等の指示が表示される。
【００２７】
ＩＤカードＡが有効と判断され、遊技情報の書き込みが終了すると、表示ランプ45の点灯が、例えば「遊技終了後は、カード返却ボタンを押してＩＤカードを取り出して下さい。」等の表示部分に切り換えられ、カードの返却が可能なことを遊技者に知らせる。遊技が終了し、顧客により前記カード返却ボタン44が押されると、第１カード受渡し口41からＩＤカードＡが顧客に返却される。
【００２８】
顧客は、返却されたＩＤカードＡを持ってホールを出て駐車場に行き、自動車を駐車位置から動かして前記出口専用ゲート11に向かう。出口専用ゲート11に設けられた前記ゲート遮断装置50は、通常は遮断機70によってポール71を下ろしており自動車の退出進路を遮っている。出口専用ゲート11まで来た顧客により、前記操作面Ｂの第２カード受渡し口91からＩＤカードＡが挿入されると、本日中に遊技が行われ、かつＩＤカードＡが有効であることを条件に、自動車が一台通過するまで遮断機70は、ポール71を上げて、遮断を解除する。
【００２９】
以下、この遮断解除の動作について具体的に説明すると、まずＩＤカードＡを受け付けた図１の前記識別制御手段90内では、前記リード部93にＩＤカードＡが送られ、遊技情報及びＩＤ番号の読み出しが行われる。その後、ＩＤカードＡは同じ第２カード受渡し口91から顧客に返却される。次の前記遊技判定部96では、読み出された遊技情報にもとづいて、本日中に遊技が行われたか否かが判定される。そして、本日中に遊技が行われたと判定されると、遊技判定部96からは、前記第１許可信号が次の第２番号照合部97に出力される。
【００３０】
第１許可信号を入力した第２番号照合部97では、入力した第１許可信号を前記解除判定手段94側に出力するべきか否かが判断される。具体的には、まず前記した第１番号照合部43の場合と同様に、リード部93で読み出されたＩＤ番号が前記中央管理装置30からアクセスしたＩＤ番号データと照合され、当該ＩＤ番号が付されたＩＤカードＡについて、期限が切れていないか、或いは無効でないか等が調べられる。そして、ＩＤカードＡが有効であると判断されると、当該第２番号照合部97により、第１許可信号が前記解除判定手段94側に出力される。
【００３１】
次の解除判定手段94では、上記第１許可信号を入力したことで前記第１の条件が満たされたと判断し、解除信号が出力される。すると、解除信号を受けた前記遮断機駆動手段95により、遮断機70のポール71が上げられて自動車が一台通過する間だけ遮断が解除される。すなわち、まず上げられた遮断機70のポール71の下を自動車が通過し、この通過が前記通過検出器80で検出されると、通過検出器80からは通過信号が出力される。この通過信号は遮断機駆動手段95に入力され、これにより遮断機駆動手段95が遮断機70のポール71を再び下げるので、当該ゲート遮断装置50はもとの遮断状態に戻される。
【００３２】
一方、駐車場を利用した顧客が会員でない場合や会員であっても遊技をしなかった場合には、駐車料金のサービスが行われないので、このような顧客は、ゲート遮断装置50のところで、操作面Ｂに設けられた前記料金投入口92から所定の駐車料金を一律に支払わなければならない。この場合、料金投入口92から投入された料金は、その投入額が図１の前記カウンタ98により計数される。また、次段の前記投入額判別部99では、逐次入力されるカウンタ98の計数値が監視され、投入額が所定の駐車料金に達すると、投入額判別部99からは、前記第２許可信号が解除判定手段94に出力される。
【００３３】
この場合の解除判定手段94では、第２許可信号を入力したことで前記２条件のうち、第２の条件が満たされたと判断し、解除信号が出力される。この後は、前記したと同様に遮断機駆動手段95，遮断機70，通過検出器80が動作し、通常下げられて遮断状態にある遮断機70のポール71により、自動車が一台通過するまでその遮断が解除される。
【００３４】
なお、上記した説明では、前記入口専用ゲート10には自動車の通過を遮断するための装置は何等設置されていないとしたが、これに限らず、例えば逆進防止用の遮断装置を設けることもできる。すなわち、この逆進防止用の遮断装置には、出口専用ゲート11に設けたゲート遮断装置50のように料金を徴収したり、ＩＤカードＡの有効性を判断し、あるいは遊技の有無を識別する諸機能を一切備えず、単に駐車場から出ようとする自動車の通過を遮断し、入ろうとする自動車のみを無条件で通すものである。
【００３５】
また、料金徴収のシステムは、上記説明に限定されない。すなわち、上記説明では、遊技情報として遊技が行われたこと及びその日付がＩＤカードＡに書き込まれ、本日中に遊技が１回でも行われれば駐車料金を全額無料としたが、例えば遊技情報として遊技時間をもＩＤカードＡに書き込み、遊技中の駐車料金のみ無料とするようにしてもよい。この場合、遊技を行った会員顧客は、一律の駐車料金から遊技中の駐車料金を差し引いた差額のみを支払えば、前記投入額判別部99からは、第２許可信号が出力され、当該ゲート遮断機70の遮断が解除される。
【００３６】
図５〜８は、本発明の第２実施例を示すものであり、図５は遊技店の敷地内で入口用及び出口用のゲート遮断装置の位置を各々示す配置図、図６は入口用のゲート遮断装置を駐車場の入場方向側から見た斜視図、図７は出口用のゲート遮断装置を駐車場側から見た斜視図、図８は駐車場の出入口が１箇所の場合に対応した出入口用のゲート遮断装置の配置図をそれぞれ示す。
【００３７】
本第２実施例の特徴は、駐車場を利用した顧客が会員でない場合や会員であっても遊技をしなかった場合に、一律料金でなく駐車時間に応じたきめ細かい料金徴収を行うために、入場時間を記録した駐車券を発券し、そのための発券機機能及び料金表示機能を備える点にある。以下、本第２実施例について、図５に示したゲートが入口用ゲート10と出口用ゲート11の２箇所設けられている場合と、図８に示した出入口用ゲートの１箇所の場合とに分けて説明する。なお、この第２実施例の説明にあたっては、先に説明した第１実施例と同一構成部分については、同一符号を付し、具体的な説明は省略する。
【００３８】
図５に示す駐車場の入口専用ゲート10には、入口用のゲート遮断装置100が、また出口専用ゲート11には出口用のゲート遮断装置110が、別々に設置されている。 上記入口用のゲート遮断装置100は、ＩＤカードを受け付け、その有効性を判断する機能と、前記駐車券の発券機能とを有し、受け付けたＩＤカードが有効であること又は駐車券が抜き出されたことを条件に、自動車の入場を適宜許可するものである。
【００３９】
具体的には、入口用のゲート遮断装置100は、特にブロック図は示さないが、先に説明した図１の第１実施例のゲート遮断装置50とその構成を比較すると、前記遊技判定手段96が省略され、したがって前記第１許可信号が出力されない点が、まず第１に異なる。また、この入口用のゲート遮断装置100の場合、前記リード部93では、遊技情報の読み出しは行われず、受け付けられたＩＤカードＡからＩＤ番号のみが読み出される。次段の前記第２番号照合部97では、第１実施例の場合と同様にＩＤ番号の照合が行われるが、第１実施例ではＩＤカードＡが有効である場合に第２番号照合部97から第１許可信号が出力されたのと異なり、この場合の第２番号照合部97からは、ＩＤカードＡが有効であることを示す第３許可信号が前記解除判定手段94に出力される。
【００４０】
第１実施例のゲート遮断装置に比較して、入口用のゲート遮断装置100の構成が異なる第２の点は、図１における前記料金投入口92，カウンタ98，投入額判別部99が省略され、その代わりに、図６に示すように、入場方向側の操作面Ｃに駐車券排出口102を有した発券機101を備えていることである。上記発券機101には、図示しないが、入場方向側に停止した自動車を感知する入場検出器103を備えている。発券機101は、入場検出器103が自動車を検出すると、図６に示すように、例えば磁気やパンチ孔で入場時間を記録した駐車券Ｅを、前記駐車券排出口102から抜き出し可能に半分だけ表出させ、残りを保持する。そして、顧客により駐車券Ｅが抜き出されると、この発券機101からは第４許可信号が解除判定手段94に出力される。
【００４１】
この場合の解除判定手段94は、上記第４許可信号又は第２番号照合部97からの前記第３許可信号のいずれかの入力により、前記解除信号を出力する。従って、本第２実施例の入口用のゲート遮断装置100によれば、駐車場から出ようとする自動車の通過をすべて遮断する一方、入ろうとする自動車については、ＩＤカードＡが有効と判断されたこと又は駐車券Ｅが抜き出されたことを条件に、自動車が一台通過するまでその遮断を解除させることができる。
【００４２】
一方、前記出口用のゲート遮断装置110にあっては、先に説明した図１の第１実施例とその構成を比較すると、図７に示すように、駐車場側の操作面Ｄに料金表示部111を付加した点が異なる。この料金表示部111は、図１の前記投入額判別部99の出力側に接続されている。また、この出口用のゲート遮断装置110において、前記第２カード受渡し口91及びリード部93は、ＩＤカードＡのほかに、駐車券Ｅをも受け付けて、その入場時間を読み出し可能に形成されている。さらに、前記リード部93と投入額判別部99の間は、リード部93で読み出された入場時間の情報が投入額判別部99に入力可能に接続されている。
【００４３】
この駐車券Ｅが受け付けられた場合、投入額判別部99では、リード部93からの入場時間の情報をもとに、請求すべき駐車料金を計算し、前記料金表示部111にその請求額を表示させるとともに、所定の請求額が投入され、カウンタ98で計数されれば、第１実施例の場合と同様に第２許可信号を出力する。従って、本第２実施例の出口用のゲート遮断装置110によれば、駐車場に入ろうとする自動車の通過をすべて遮断する一方、出ようとする自動車については、ＩＤカードＡの遊技情報又は駐車券Ｅの入場時間の情報にもとづいて、本日中に遊技が行われたこと又は入場時間に対応した所定の駐車料金が支払われたことを条件に、自動車が一台通過するまでその遮断を解除させることができる。
【００４４】
図８に示す駐車場の出入口が１箇所しか設けられていない場合には、この出入口用ゲート12に、上記した入口用のゲート遮断装置100と出口用のゲート遮断装置110の機能を兼ね備えた出入口用のゲート遮断装置120が設置されている。この出入口用のゲート遮断装置120は、図８に示すように、その入場方向側に上記入口用のゲート遮断装置100と同様に操作面Ｃを、また駐車場側に上記出口用のゲート遮断装置110と同様に操作面Ｄを備えているのが異なるほか、動作については、前記した図５の場合と同じである。
【００４５】
従って、この出入口用のゲート遮断装置120では、第２カード受渡し口91を２箇所に設ける必要があるほかは、他の構成部分は共用することができ、図５の場合よりコストを抑えることができるという利点がある。なお、駐車場に入ろうとする顧客の便を考慮して、その運転席側、すなわち図８ゲート右側に、出入口用のゲート遮断装置120の前記操作面Ｃの機能のみを分離したかたちで、操作用ポストとして別に設けても構わない。
【００４６】
【発明の効果】
本発明は、以上のように構成されているので、以下に記載されるような効果を奏する。  請求項１記載の発明によれば、従来、人手に頼っていた遊技を行ったか否かのチェック及び駐車場出口での識別を自動化して、ミスやトラブルをなくし、また人件費の削減が見込める遊技店用の駐車場管理装置を提供することができる。
【００４７】
また、遊技者にとっては、従来の検印等によって遊技が中断されるようなことがなく、遊技に集中できる。
これに加え、請求項２記載の発明によれば、顧客カードを受け付けるごとにそのＩＤ番号を登録したＩＤ番号データと照合することで、登録内容の変更に即対応できる遊技店用の駐車場管理装置とすることができる。
【図面の簡単な説明】
【図１】本発明の第１実施例を示すものであり、同図は駐車場管理装置のブロック図である。
【図２】本発明の第１実施例を示すものであり、同図は遊技店の敷地内でゲート遮断装置の位置を示す配置図である。
【図３】本発明の第１実施例を示すものであり、同図はパチンコ機の正面図である。
【図４】本発明の第１実施例を示すものであり、同図はゲート遮断装置を駐車場側から見た斜視図である。
【図５】本発明の第２実施例を示すものであり、同図は図５は遊技店の敷地内で入口用及び出口用のゲート遮断装置の位置を各々示す配置図である。
【図６】本発明の第２実施例を示すものであり、同図は入口用のゲート遮断装置を駐車場の入場方向側から見た斜視図である。
【図７】本発明の第２実施例を示すものであり、同図は出口用のゲート遮断装置を駐車場側から見た斜視図である。
【図８】本発明の第２実施例を示すものであり、同図は駐車場の出入口が１箇所の場合に対応した出入口用のゲート遮断装置の配置図である。
【符号の説明】
10 入口専用ゲート            11 出口専用ゲート
12 出入口用ゲート            20 パチンコ機
30 中央管理装置              40 カードリーダ・ライタ
41 第１カード受渡し口        42 リード・ライト部
43 第１番号照合部            44 カード返却ボタン
45 表示ランプ                50 ゲート遮断装置
60 遮断装置本体              70 遮断機
71 ポール                    80 通過検出器
90 識別制御手段              91 第２カード受渡し口
92 料金投入口                93 リード部
94 解除判定手段              95 遮断機駆動手段
96 遊技判定部                97 第２番号照合部
98 カウンタ                  99 投入額判別部
100 入口用のゲート遮断装置  101 発券機
102 駐車券排出口            103 入場検出器
110 出口用のゲート遮断装置  111 料金表示部
120 出入口用のゲート遮断装置
【図１】
0003581735.tif 000002
【図２】
0003581735.tif 000003
【図３】
0003581735.tif 000004
【図４】
0003581735.tif 000005
【図５】
0003581735.tif 000006
【図６】
0003581735.tif 000007
【図７】
0003581735.tif 000008
【図８】
0003581735.tif 000009